(57)【要約】【課題】ユーザに適した番組を効率よく選択できるようにする。【解決手段】映像情報を操作するための操作画面、及びネットワークを介してコンテンツを閲覧するためのコンテンツ閲覧画面を表示する表示部１１と、操作画面における操作に応じて、通信可能に接続された表示機器及び表示部１１の少なくともいずれかで表示される複数の映像情報のうち、視聴する映像情報を選択する映像情報選択情報と、コンテンツ閲覧画面における操作に応じて、ネットワークを介して提供される複数のコンテンツのうち、閲覧するコンテンツを選択するコンテンツ選択情報とを、コンテンツを配信するサーバに送信する１５２と、映像情報選択情報に基づいて選択された映像情報の視聴履歴、及びコンテンツ選択情報に基づいて選択されたコンテンツの閲覧履歴に基づいた表示情報をサーバから受信する受信部１５３と、を備える。【選択図】図３
2015154440.tif 000002
【特許請求の範囲】
【請求項１】
映像情報を操作するための操作画面、及びネットワークを介してコンテンツを閲覧するためのコンテンツ閲覧画面を表示する表示部と、
前記操作画面における操作に応じて、通信可能に接続された表示機器及び前記表示部の少なくともいずれかで表示される複数の映像情報のうち、視聴する映像情報を選択する映像情報選択情報と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信する送信部と、
前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信部と、を備える携帯端末。
【請求項２】
前記携帯端末は、前記サーバから受信した前記表示情報に基づいて、前記操作画面を生成する画面生成部をさらに備える、
請求項１に記載の携帯端末装置。
【請求項３】
前記画面生成部は、前記映像情報選択情報に基づいて選択された頻度が高い前記映像情報のカテゴリーと前記コンテンツ選択情報に基づいて選択された頻度が高い前記コンテンツのカテゴリーとの間で共通する共通カテゴリーに基づいて、前記操作画面を生成する、
請求項２に記載の携帯端末。
【請求項４】
前記画面生成部は、前記共通カテゴリーに関連する映像情報が放送されるチャネルを示す情報に基づいて、前記操作画面を生成する、
請求項３に記載の携帯端末。
【請求項５】
前記画面生成部は、前記チャネルを選択するための画像が、前記共通カテゴリーに関連する映像情報が放送されるチャネルを示す情報に基づく順番に配置された前記操作画面を生成する、
請求項４に記載の携帯端末。
【請求項６】
前記画面生成部は、前記共通カテゴリーに関連する映像情報が放送されるチャネルに対応する番組表を含む前記操作画面を生成する、
請求項４又は５に記載の携帯端末。
【請求項７】
前記操作画面の編集を受け付ける編集受付部と、
前記編集受付部が受け付けた前記編集の履歴を記憶する記憶部と、
を備え、
前記送信部は、前記編集の履歴を、前記コンテンツを配信するサーバに送信する、
請求項１から６のいずれか１項に記載の携帯端末。
【請求項８】
前記表示部は、前記テレビの視聴履歴及び前記コンテンツの閲覧履歴に基づかないで作成された標準操作画面と、前記テレビの視聴履歴及び前記コンテンツの閲覧履歴に基づいて作成されたカスタム操作画面とを選択的に表示する、
請求項１から７のいずれか１項に記載の携帯端末。
【請求項９】
前記表示部は、前記視聴履歴と前記閲覧履歴に基づいて選択された広告を表示する、
請求項１から８のいずれか１項に記載の携帯端末。
【請求項１０】
コンピュータに、
映像情報を操作するための操作画面、及びネットワークを介してコンテンツを閲覧するためのコンテンツ閲覧画面を表示させ、
前記操作画面における操作に応じて、通信可能に接続された表示機器及び前記表示部の少なくともいずれかで表示される複数の映像情報のうち、視聴する映像情報を選択する映像情報選択情報と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信させ、
前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信させるための、
携帯端末用プログラム。
【請求項１１】
携帯端末と、ネットワークを介して前記携帯端末にコンテンツを配信するコンテンツ配信装置と、を備え、
前記携帯端末は、
映像情報を操作するための操作画面、及びネットワークを介してコンテンツを閲覧するためのコンテンツ閲覧画面を表示する表示部と、
前記操作画面における操作に応じて、通信可能に接続された表示機器及び前記表示部の少なくともいずれかで表示される複数の映像情報のうち、視聴する映像情報を選択する映像情報選択情報と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信する送信部と、
前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信部と、
を有し、
前記コンテンツ配信装置は、前記携帯端末に配信する複数の前記表示情報を記憶するコンテンツ記憶部と、
前記コンテンツ記憶部に記憶された前記複数の表示情報から、前記携帯端末に配信する表示情報を抽出するコンテンツ抽出部と、
前記コンテンツ抽出部が抽出した前記表示情報を前記携帯端末に送信するコンテンツ送信部と、
を有する、
コンテンツ配信システム。
【請求項１２】
前記コンテンツ抽出部は、前記携帯端末に関連付けられた前記視聴履歴及び前記閲覧履歴に基づいて、複数の広告コンテンツから、前記携帯端末に配信する広告コンテンツを選択し、
前記コンテンツ送信部は、前記コンテンツ抽出部が抽出した前記広告コンテンツを前記携帯端末に送信する、
請求項１１に記載のコンテンツ配信システム。
【請求項１３】
前記コンテンツ記憶部は、前記携帯端末を使用するユーザに割り当てられた識別情報と、当該ユーザが前記携帯端末及び前記携帯端末以外の端末装置を用いて視聴した前記映像情報、並びに前記携帯端末及び前記携帯端末以外の端末装置を用いて閲覧した前記コンテンツに基づいて生成された前記視聴履歴及び前記閲覧履歴と、を関連付けて記憶し、
前記コンテンツ送信部は、前記視聴履歴及び前記閲覧履歴に基づいて抽出された前記表示情報を、前記携帯端末及び前記携帯端末以外の端末装置の少なくともいずれかに送信する、
請求項１１又は１２に記載のコンテンツ配信システム。
【発明の詳細な説明】
【技術分野】
【０００１】
本発明は、携帯端末、携帯端末用プログラム及びコンテンツ配信システムに関する。
【背景技術】
【０００２】
ケーブルテレビや衛星放送等の普及に伴って、テレビで視聴できるチャネル数が増えている。多くのチャネルから視聴するチャネルを選択しやすくするために、携帯端末のような多機能端末をリモコンとして利用することが提案されている。
【０００３】
例えば、特許文献１においては、放送チャネルを選択するための情報をサーバから携帯端末に提供し、携帯端末が、サーバから受信した情報に基づいて、放送チャネルを選択する画面を表示するシステムが開示されている。
また、特許文献２においては、ユーザのコンテンツ視聴履歴を収集し、視聴履歴に基づいて選択された情報をリモコン装置に表示するシステムが開示されている。
【先行技術文献】
【特許文献】
【０００４】
【特許文献１】特開２０１３−２２３０４５号公報
【特許文献２】特開２０１１−７１８７９号公報
【発明の概要】
【発明が解決しようとする課題】
【０００５】
特許文献１に記載のシステムにおいて、携帯端末は、テレビを操作する画面上に、各番組の盛り上がり度合いを表示することができる。具体的には、サーバが、番組に関する投稿を集計して番組の盛り上がり状況を数値化し、携帯端末は、サーバにおいて数値化された情報に基づいて、各番組の盛り上がり度合いを操作画面に表示させる。携帯端末のユーザは、操作画面に表示される各番組の盛り上がり度合いを見ることにより、面白そうな番組を選択することができる。
【０００６】
しかしながら、視聴したいと考える番組の嗜好は人それぞれ異なるので、各番組の盛り上がり度合いが携帯端末に表示されたとしても、盛り上がっている番組が、携帯端末のユーザの嗜好に合った番組であるとは限らない。したがって、携帯端末に盛り上がり度合いが表示されても、ユーザに適した番組を効率よく選択することができないという問題があった。
【０００７】
特許文献２に記載のシステムにおいては、ユーザのテレビ番組の視聴履歴に基づいて、視聴可能な複数のコンテンツのうち、ユーザが関心を持つ可能性があるコンテンツをレコメンドする情報が携帯端末に表示される。しかしながら、テレビ番組は、関心がないにもかかわらず視聴状態にされていることがあるので、ユーザは、テレビ番組の視聴時間が長いジャンルに関心を持っているとは限らない。したがって、視聴履歴のみに基づいてレコメンド情報を表示しても、ユーザが関心を持つ番組を効率よく選択できるようにするには不十分であった。
【０００８】
そこで、本発明は、ユーザに適した番組に関する情報を効率よく表示または選択できるようにすることを目的とする。
【課題を解決するための手段】
【０００９】
本発明の第１の態様に係る携帯端末は、映像情報を操作するための操作画面、及びネットワークを介してコンテンツを閲覧するためのコンテンツ閲覧画面を表示する表示部と、前記操作画面における操作に応じて、通信可能に接続された表示機器及び前記表示部の少なくともいずれかで表示される複数の映像情報のうち、視聴する映像情報（例えば、テレビ番組）を選択する映像情報選択情報（例えば、番組選択情報）と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信する送信部と、前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信部と、を備える。前記携帯端末は、前記サーバから受信した前記表示情報に基づいて、前記操作画面を生成する画面生成部をさらに備えてもよい。
【００１０】
前記画面生成部は、例えば、前記映像情報選択情報に基づいて選択された頻度が高い前記映像情報のカテゴリーと前記コンテンツ選択情報に基づいて選択された頻度が高い前記コンテンツのカテゴリーとの間で共通する共通カテゴリーに基づいて、前記操作画面を生成してもよい。
【００１１】
また、前記画面生成部は、前記チャネルを選択するための画像が、前記共通カテゴリーに関連する映像情報が放送されるチャネルを示す情報に基づく順番に配置された前記操作画面を生成してもよい。前記画面生成部は、前記共通カテゴリーに関連する映像情報が放送されるチャネルに対応する番組表を含む前記操作画面を生成してもよい。
【００１２】
上記の携帯端末は、前記操作画面の編集を受け付ける編集受付部と、前記編集受付部が受け付けた前記編集の履歴を記憶する記憶部と、前記編集の履歴をサーバに送信する送信部と、を備えてもよい。
【００１３】
また、前記表示部は、前記テレビの視聴履歴及び前記コンテンツの閲覧履歴に基づかないで作成された標準操作画面と、前記テレビの視聴履歴及び前記コンテンツの閲覧履歴に基づいて作成されたカスタム操作画面とを選択的に表示してもよい。前記表示部は、前記視聴履歴と前記閲覧履歴に基づいて選択された広告を表示してもよい。
【００１４】
本発明の第２の態様に係る携帯端末用プログラムは、コンピュータに、像情報を操作するための操作画面、及びネットワークを介してコンテンツを閲覧するためのコンテンツ閲覧画面を表示させ、前記操作画面における操作に応じて、通信可能に接続された表示機器及び前記表示部の少なくともいずれかで表示される複数の映像情報のうち、視聴する映像情報を選択する映像情報選択情報と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信させ、前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信させる。
【００１５】
本発明の第３の態様に係るコンテンツ配信システムは、携帯端末と、ネットワークを介して前記携帯端末にコンテンツを配信するコンテンツ配信装置と、を備え、前記携帯端末は、映像情報を操作するための操作画面、及びネットワークを介してコンテンツを閲覧するためのコンテンツ閲覧画面を表示する表示部と、前記操作画面における操作に応じて、通信可能に接続された表示機器及び前記表示部の少なくともいずれかで表示される複数の映像情報のうち、視聴する映像情報を選択する映像情報選択情報と、前記コンテンツ閲覧画面における操作に応じて、前記ネットワークを介して提供される複数の前記コンテンツのうち、閲覧するコンテンツを選択するコンテンツ選択情報とを、前記コンテンツを配信するサーバに送信する送信部と、前記映像情報選択情報に基づいて選択された前記映像情報の視聴履歴、及び前記コンテンツ選択情報に基づいて選択された前記コンテンツの閲覧履歴に基づいた表示情報を前記サーバから受信する受信部と、を有し、前記コンテンツ配信装置は、前記携帯端末に配信する複数の前記表示情報を記憶するコンテンツ記憶部と、
前記コンテンツ記憶部に記憶された前記複数の表示情報から、前記携帯端末に配信する表示情報を抽出するコンテンツ抽出部と、前記コンテンツ抽出部が抽出した前記表示情報を前記携帯端末に送信するコンテンツ送信部と、を有する。
【００１６】
前記コンテンツ抽出部は、前記携帯端末に関連付けられた前記視聴履歴及び前記閲覧履歴に基づいて、複数の広告コンテンツから、前記携帯端末に配信する広告コンテンツを選択し、前記コンテンツ送信部は、前記コンテンツ抽出部が抽出した前記広告コンテンツを前記携帯端末に送信してもよい。
【００１７】
また、前記コンテンツ記憶部は、前記携帯端末を使用するユーザに割り当てられた識別情報と、当該ユーザが前記携帯端末及び前記携帯端末以外の端末装置を用いて視聴した前記映像情報、並びに前記携帯端末及び前記携帯端末以外の端末装置を用いて閲覧した前記コンテンツに基づいて生成された前記視聴履歴及び前記閲覧履歴と、を関連付けて記憶し、前記コンテンツ送信部は、前記視聴履歴及び前記閲覧履歴に基づいて抽出された前記表示情報を、前記携帯端末及び前記携帯端末以外の端末装置の少なくともいずれかに送信してもよい。
【発明の効果】
【００１８】
本発明によれば、ユーザに適した番組を効率よく選択できるようになるという効果を奏する。
【図面の簡単な説明】
【００１９】
【図１】第１の実施形態に係るコンテンツ配信システムの構成を示す図である。
【図２】携帯端末の構成を示す図である。
【図３】画面生成部が生成するテレビ操作画面及びコンテンツ閲覧画面の例を示す図である。
【図４】コンテンツ配信サーバの構成を示す図である。
【図５】嗜好情報の生成に用いられる視聴履歴の一例を示す図である。
【図６】嗜好情報の生成に用いられる閲覧履歴の一例を示す図である。
【図７】本実施形態に係るコンテンツ配信システムＳにおける動作シーケンスを示す図である。
【図８】第２の実施形態に係る携帯端末１の構成を示す図である。
【図９】本実施形態に係るカスタム操作画面を示す図である。
【発明を実施するための形態】
【００２０】
＜第１の実施形態＞
［コンテンツ配信システムＳの構成］
図１は、第１の実施形態に係るコンテンツ配信システムＳの構成を示す図である。コンテンツ配信システムＳは、携帯端末１と、コンテンツ配信サーバ２と、放送番組サーバ３と、テレビ受信機４と、基地局５とを備える。本実施形態においては、携帯端末１とテレビ受信機４とが同じ宅内にあり、携帯端末１を用いてテレビ受信機４を操作することが想定されている。コンテンツ配信サーバ２、放送番組サーバ３、テレビ受信機４及び基地局５は、インターネット等のネットワーク６に接続されている。
【００２１】
携帯端末１は、例えばスマートフォン又はタブレットであり、Ｗｉ−Ｆｉ無線通信回線Ｗ１または赤外線Ｗ２を介してテレビ受信機４との間で情報の送受信をするとともに、携帯電話回線Ｗ３、基地局５及びネットワーク６を介して、コンテンツ配信サーバ２との間で情報の送受信をすることができる。具体的には、携帯端末１は、テレビ受信機４において視聴する番組を選択するためのリモコンとして使用される際には、ユーザによる操作に応じて、番組を選択するための番組選択情報をテレビ受信機４に対して送信する。他方、携帯端末１は、コンテンツ配信サーバ２や他のサーバに格納されているコンテンツにアクセスするための情報端末として使用される際には、ユーザによる操作に応じて、コンテンツにアクセスするためのコンテンツ選択情報をコンテンツ配信サーバ２に対して送信する。
【００２２】
携帯端末１は、携帯端末１のユーザによる番組の視聴履歴及びコンテンツの閲覧履歴に基づいて、ユーザに適した操作画面を表示することができる。また、携帯端末１は、操作画面上に、視聴履歴及び閲覧履歴に基づいて選択された、ユーザに適した広告等の情報を表示することもできる。
【００２３】
コンテンツ配信サーバ２は、ネットワーク６を介して、各種コンテンツを携帯端末１に配信する。コンテンツ配信サーバ２は、携帯端末１から受信したコンテンツ選択情報に対応するコンテンツを携帯端末１に配信することができる。コンテンツ配信サーバ２は、携帯端末１からコンテンツ選択情報を受信することなく、携帯端末１のユーザに適した広告等のコンテンツを携帯端末１にプッシュ配信することもできる。
【００２４】
放送番組サーバ３は、テレビ受信機４において視聴される放送番組を、ネットワーク６を介して配信するサーバである。放送番組サーバ３は、ネットワーク６を介することなく、放送波を介して放送番組を配信してもよい。
【００２５】
テレビ受信機４は、放送番組サーバ３から配信される放送番組又はテレビ放送波を受信するチューナーと、放送番組を表示するディスプレイとを備える。また、テレビ受信機４は、携帯端末１から操作情報を受信するＷｉ−Ｆｉ無線チューナーを備える。なお、テレビ受信機４は、チューナーを有するセットトップボックスとディスプレイとをＨＤＭＩ（High-Definition Multimedia Interface、登録商標）ケーブル等により接続された状態で構成されていてもよいし、衛星放送受信機器と接続された状態で構成されていてもよい
【００２６】
基地局５は、携帯電話の基地局である。基地局５は、携帯電話回線Ｗ３を介して携帯端末１から受信した情報を、ネットワーク６を介してコンテンツ配信サーバ２に送信するとともに、コンテンツ配信サーバ２から配信された情報を携帯端末１に送信する中継装置として機能する。
【００２７】
［携帯端末１の構成］
図２は、携帯端末１の構成を示す図である。携帯端末１は、表示部１１、記憶部１２、Ｗｉ−Ｆｉ通信部１３、モバイル通信部１４及び制御部１５を備える。
【００２８】
表示部１１は、液晶ディスプレイにより構成される。表示部１１は、ディスプレイ上に設けられたタッチパネルも有しており、ユーザは、表示部１１に触れることにより表示部１１を操作することができる。表示部１１は、テレビ受信機４を操作するためのテレビ操作画面、及びネットワーク６を介してＷｅｂコンテンツを閲覧するためのコンテンツ閲覧画面を表示する。テレビ操作画面及びコンテンツ閲覧画面の詳細については、後述する。
【００２９】
記憶部１２は、ＲＯＭやフラッシュメモリ等の不揮発性メモリ及びＲＡＭ等の揮発性メモリを含んで構成される。記憶部１２は、制御部１５により実行される携帯端末用プログラムを記憶している。また、記憶部１２は、制御部１５が生成した各種データや、コンテンツ配信サーバ２から受信したコンテンツを記憶する。
【００３０】
Ｗｉ−Ｆｉ通信部１３は、Ｗｉ−Ｆｉ無線通信回線Ｗ１を介して放送番組サーバ３との間で情報の送受信をするための高周波（ＲＦ）部である。
モバイル通信部１４は、携帯電話回線Ｗ３を介して基地局５との間で情報の送受信をするための高周波（ＲＦ）部である。
【００３１】
制御部１５は、例えばＣＰＵを含んで構成される。制御部１５は、記憶部１２に記憶された携帯端末用プログラムを実行することにより、携帯端末１の機能を統括的に制御する。制御部１５は、操作受付部１５１と、送信部１５２と、受信部１５３と、画面生成部１５４と、表示制御部１５５と、表示制御部１５５とを有する。
【００３２】
操作受付部１５１は、表示部１１において入力されるユーザの操作を受け付ける。具体的には、操作受付部１５１は、表示部１１に設けられているタッチパネルから出力される座標情報を取得し、取得した座標情報に基づいて、ユーザが操作した内容を特定する。さらに、操作受付部１５１は、特定した内容を示す操作情報を生成する。操作情報とは、例えば、ユーザがテレビ受信機４において視聴する番組を選択するための番組選択情報、及びユーザが閲覧するコンテンツを選択するためのコンテンツ選択情報である。コンテンツ選択情報は、例えばＵＲＬのようなアドレス情報である。操作受付部１５１は、受け付けた操作情報を日時に関連付けて記憶部１２に記憶させてもよい。
【００３３】
送信部１５２は、テレビ操作画面における操作に応じて、テレビ受信機４で放送される複数の番組のうち、視聴する番組を選択する番組選択情報を、Ｗｉ−Ｆｉ通信部１３又は赤外線通信部（図示しない）を介してテレビ受信機４に送信する。また、送信部１５２は、コンテンツ閲覧画面における操作に応じて、ネットワーク６を介して提供される複数のコンテンツのうち、閲覧するコンテンツを選択するコンテンツ選択情報を、モバイル通信部１４、基地局５及びネットワーク６を介してコンテンツ配信サーバ２に送信する。また、送信部１５２は、テレビ受信機４で視聴する番組を選択するためにテレビ受信機４に送信された番組選択情報、又は表示部１１で視聴する番組を選択するために使用された番組選択情報をコンテンツ配信サーバ２に送信する。
【００３４】
また、送信部１５２は、テレビ操作画面における操作に基づいて特定されるユーザの視聴履歴、及びコンテンツ閲覧画面における操作に基づいて特定されるユーザのコンテンツ閲覧履歴を、コンテンツ配信サーバ２に送信してもよい。視聴履歴は、番組選択情報により特定される、ユーザが視聴した番組を特定するための番組ＩＤとユーザが視聴した日時とを関連付けた情報である。閲覧履歴は、ユーザが閲覧したコンテンツに対応するアドレス情報とユーザがコンテンツを閲覧した日時とを関連付けた情報である。
【００３５】
受信部１５３は、Ｗｉ−Ｆｉ通信部１３を介してテレビ受信機４から情報を受信する。例えば、受信部１５３は、テレビ受信機４で視聴できる番組のタイトル、番組ＩＤ、番組のカテゴリー、放送日時の情報を含むＳＩ（Service Information）等のメタデータをテレビ受信機４から受信する。テレビ受信機４がハイブリッドキャスト（登録商標）に対応している場合、受信部１５３は、番組と連動するアプリケーションを携帯端末１に通知するための制御情報をテレビ受信機４から受信してもよい。
【００３６】
画面生成部１５４は、番組選択情報に基づいて選択された番組の視聴履歴、及びコンテンツ選択情報に基づいて選択されたコンテンツの閲覧履歴に基づいて、テレビ操作画面を生成する。表示制御部１５５は、画面生成部１５４が生成したテレビ操作画面を表示部１１に表示させる。
【００３７】
具体的には、画面生成部１５４は、視聴履歴及び閲覧履歴に基づいて特定されるユーザの嗜好に合った番組を選択しやすいテレビ操作画面を生成する。より具体的には、画面生成部１５４は、送信部１５２が送信した視聴履歴及び閲覧履歴に基づいてコンテンツ配信サーバ２において特定された、ユーザが関心を持っているカテゴリーを示す嗜好情報に基づいて、テレビ操作画面に表示する情報の配置及び内容を決定する。例えば、画面生成部１５４は、視聴履歴に含まれる番組選択情報に基づいて選択された番組のカテゴリーを示す番組カテゴリー、及び閲覧履歴に含まれるコンテンツ選択情報に基づいて選択されたコンテンツのカテゴリーにおいて共通する共通カテゴリーに関連する番組が放送される予定のチャネルを示す情報に基づいて、テレビ操作画面を生成する。
【００３８】
図３は、画面生成部１５４が生成するテレビ操作画面及びコンテンツ閲覧画面の例を示す図である。図３（ａ）は、テレビの視聴履歴及びコンテンツの閲覧履歴に基づかないで作成された標準操作画面である。図３（ｂ）は、テレビの視聴履歴及びコンテンツの閲覧履歴に基づいて作成された、ユーザに固有のカスタム操作画面である。図３（ｃ）は、ネットワーク６を介してＷｅｂコンテンツを閲覧するためのコンテンツ閲覧画面である。各画面の上部には、「標準」、「カスタム」、「Ｗｅｂ」と書かれたタブが表示されている。ユーザは、タブを押すことにより、標準操作画面、カスタム操作画面、コンテンツ閲覧画面を容易に切り替えることができる。画面の切替は、タブの選択に限るものではなくメニュー選択等で切り替えるものであっても、スライド等の操作で切り替えられるものであってもよい。切替対象は、図３（ａ）〜図３（ｃ）に限るものでもなく、必要な画面のみ表示されるものであってもよいし、他の情報に埋め込まれる形で表示領域の一部に読み込まれるものであってもよい。
【００３９】
図３（ａ）に示すように、標準操作画面においては、チャネルの番号を示す数字が、数字の順に並べられて表示される。図３（ｂ）に示すように、カスタム操作画面においては、ユーザの視聴履歴及び閲覧履歴に基づいて特定されたユーザの嗜好に合った番組を選択しやすい配置に、チャネルを選択するための画像が配置されている。
【００４０】
図３（ｂ）に示す例において、カスタム操作画面には、ビジネスニュースが放送されているチャネルの番号４が最も上に表示されている。これは、ユーザが、過去の視聴履歴及び閲覧履歴において、ビジネス関連の番組を視聴したり、ビジネス関連のコンテンツを閲覧したりした頻度が最も高かったということを示している。また、カスタム操作画面には、野球中継が放送されているチャネルの番号６が２番目に表示されている。これは、ユーザが、過去の視聴履歴及び閲覧履歴において、野球関連の番組を視聴したり、野球関連のコンテンツを閲覧したりした頻度が２番目に高かったということを示している。
【００４１】
このように、画面生成部１５４は、視聴履歴及び閲覧履歴に基づいて、過去に視聴又は閲覧された頻度が高いカテゴリーに関連する番組を放送しているチャネルから順に、チャネル選択用の画像を配置した操作画面を生成する。画面生成部１５４は、このような操作画面を生成するために、放送番組サーバ３からテレビ番組情報を取得し、テレビ番組情報に含まれている番組のカテゴリーを示す番組カテゴリー情報を取得する。画面生成部１５４は、ユーザの嗜好情報と、その日時に放送されている各チャネルの番組のカテゴリー情報とを比較し、嗜好情報とカテゴリー情報との類似度が大きな順に番組を並べる。
【００４２】
画面生成部１５４は、番組選択情報に基づいて選択された頻度が高い番組のカテゴリー、及びコンテンツ選択情報に基づいて選択された頻度が高いコンテンツのカテゴリーの間で共通する共通カテゴリーに関連する番組が放送されているチャネルの順番、又は放送される予定のチャネルの順番、すなわち、ユーザの嗜好性が高いと考えられる順番に、チャネルを選択するための画像が配置されたカスタム操作画面を生成する。さらに、画面生成部１５４は、共通カテゴリーに関連する番組が放送されているチャネル又は放送される予定のチャネルに対応する番組表を含むカスタム操作画面を生成してもよい。
【００４３】
具体的には、図３（ｂ）に示すように、画面生成部１５４は、放送されている番組又は放送される予定の番組のカテゴリーと嗜好情報との類似度が大きい方から所定の数のチャネルについては、チャネル番号と放送中の番組のタイトルや概要を含む第１種の画像を含むカスタム操作画面を生成する。また、画面生成部１５４は、その他のチャネルについては、第１種の画像よりも小さく、チャネル番号だけを含む第２種の画像を含むカスタム操作画面を生成する。画面生成部１５４がこのようなカスタム操作画面を表示することにより、ユーザは、自分の嗜好に合った番組を選択しやすくなる。
【００４４】
なお、画面生成部１５４は、所定の時間が経過するたびに、嗜好情報と各番組のカテゴリー情報との類似度とを比較し、比較した結果を記憶部１２に一時保存する。表示制御部１５５は、操作受付部１５１がユーザからの操作を受け付けていない時間が所定時間より長くなると、記憶部１２に一時保存した最新の比較結果を読み出し、読み出した比較結果に基づいて新たなカスタム操作画面を生成する。表示制御部１５５は、例えば、携帯端末１がスタンバイ状態になって画面が消えた後、スタンバイ状態を解除する操作が行われたタイミングで、新たなカスタム操作画面を生成する。このようにすることで、携帯端末１は、ユーザの操作を妨げることなく、ユーザの嗜好に合った番組を選択しやすい最新のテレビ操作画面を表示させることができる。
【００４５】
画面生成部１５４は、図３（ｃ）に示すコンテンツ閲覧画面が選択された場合、視聴履歴と閲覧履歴に基づいて選択された広告を表示させる広告ウィンドウを含むコンテンツ閲覧画面を生成する。表示部１１は、コンテンツとともに、視聴履歴と閲覧履歴に基づいて選択された広告を表示する。表示部１１が表示する広告は、コンテンツ配信サーバ２が視聴履歴と閲覧履歴に基づいて選択した広告である。以下、コンテンツ配信サーバ２の構成について詳細に説明する。
【００４６】
［コンテンツ配信サーバ２の構成］
図４は、コンテンツ配信サーバ２の構成を示す図である。コンテンツ配信サーバ２は、通信部２１と、コンテンツ記憶部２２と、履歴記憶部２３と、記憶部２４と、制御部２５を備える。通信部２１は、基地局５に接続するための通信コントローラを含んで構成されている。コンテンツ配信サーバ２は、通信部２１を介して、携帯端末１との間で情報を送受信する。
【００４７】
コンテンツ記憶部２２は、携帯端末１に配信するコンテンツを記憶する記憶媒体であり、例えばハードディスクにより構成されている。コンテンツ記憶部２２は、携帯端末１に配信するコンテンツを予め記憶しておいてもよく、携帯端末１から受信するコンテンツ選択情報に応じて他のサーバから取得されたコンテンツを記憶してもよい。また、コンテンツ記憶部２２は、携帯端末１を使用するユーザに割り当てられたユーザ識別情報と、当該ユーザが携帯端末１及び携帯端末１以外の端末装置を用いて視聴した映像情報、並びに携帯端末１及び携帯端末１以外の端末装置を用いて閲覧したコンテンツに基づいて生成された視聴履歴及び閲覧履歴と、を関連付けて記憶してもよい。
【００４８】
履歴記憶部２３は、携帯端末１のユーザの番組の視聴履歴、及び携帯端末１のユーザのコンテンツの閲覧履歴を記憶する記憶媒体であり、例えばハードディスクにより構成されている。履歴記憶部２３は、後述の履歴情報取得部２５２が取得した視聴履歴及び閲覧履歴を携帯端末１のユーザに関連付けて記憶する。
【００４９】
記憶部２４は、ＲＯＭやフラッシュメモリ等の不揮発性メモリ及びＲＡＭ等の揮発性メモリを含んで構成される。記憶部２４は、制御部２５により実行されるプログラムを記憶している。また、記憶部２４は、制御部２５が生成した各種データや、携帯端末１や他のサーバから受信した情報を一時的に記憶する。
【００５０】
制御部２５は、例えばＣＰＵを含んで構成される。制御部２５は、記憶部２４に記憶されたプログラムを実行することにより、コンテンツ配信サーバ２の機能を統括的に制御する。制御部２５は、選択情報取得部２５１と、履歴情報取得部２５２と、ユーザ嗜好分析部２５３と、コンテンツ抽出部２５４と、コンテンツ送信部２５５とを有する。
【００５１】
選択情報取得部２５１は、携帯端末１から送信されるコンテンツ選択情報を取得する。選択情報取得部２５１は、取得したコンテンツ選択情報に対応するコンテンツを、コンテンツ記憶部２２から読み出す。読み出されたコンテンツは、コンテンツ送信部２５５により送信される。なお、選択情報取得部２５１は、コンテンツ選択情報に対応するコンテンツを外部サーバから取得してもよい。
【００５２】
履歴情報取得部２５２は、携帯端末１における視聴履歴及び閲覧履歴の少なくともいずれかを取得して、履歴記憶部２３に記憶させる。履歴情報取得部２５２は、例えば、携帯端末１から受信した番組選択情報に基づいて視聴履歴を作成し、及びコンテンツ選択情報に基づいて閲覧履歴を作成する。履歴情報取得部２５２は、携帯端末１から送信された視聴履歴及び閲覧履歴を取得してもよい。履歴情報取得部２５２は、視聴履歴を携帯端末１から取得する代わりに、携帯端末１からの番組選択操作を受けたテレビ受信機４から視聴履歴を取得してもよく、放送番組サーバ３等の外部サーバから視聴履歴を取得してもよい。また、履歴情報取得部２５２は、閲覧履歴を携帯端末１から取得する代わりに、携帯端末１から受信したコンテンツ選択情報に基づいてコンテンツ配信サーバ２において生成した閲覧履歴を取得してもよく、携帯端末１がコンテンツを取得するためにアクセスする外部サーバから閲覧履歴を取得してもよい。
【００５３】
図５は、嗜好情報の生成に用いられる視聴履歴の一例を示す図である。視聴履歴は、所定期間内の視聴操作に関連付けて生成されるレコード番号、視聴したチャネルの番号、視聴した曜日及び時間、視聴した番組のカテゴリーを示す情報を含んでいる。カテゴリーを示す情報は、携帯端末１が、テレビ受信機４から取得したＳＩ（Service Information）情報に基づいて生成した情報であり、例えば、番組の大分類を示す第１カテゴリー情報と、第１カテゴリーの中の小分類を示す第２カテゴリー情報とを含んでいる。
【００５４】
図６は、嗜好情報の生成に用いられる閲覧履歴の一例を示す図である。閲覧履歴は、所定期間内のコンテンツ閲覧操作に関連付けて生成されるレコード番号、閲覧したコンテンツのＵＲＬ、閲覧した曜日及び時間、閲覧した番組のカテゴリーを示す情報を含んでいる。カテゴリーを示す情報は、携帯端末１が、取得したコンテンツに含まれているキーワードに基づいて生成した情報であり、例えば、コンテンツの大分類を示す第１カテゴリー情報と、第１カテゴリーの中の小分類を示す第２カテゴリー情報とを含んでいる。閲覧履歴に含まれるカテゴリー情報は、視聴履歴に含まれるカテゴリー情報と比較しやすいように、視聴履歴に含まれるカテゴリー情報と同等の種類を有している。
【００５５】
ユーザ嗜好分析部２５３は、履歴記憶部２３に記憶されている携帯端末１のユーザの視聴履歴及び閲覧履歴に基づいて、携帯端末１のユーザの嗜好を分析し、ユーザが好む番組のカテゴリーを示す嗜好情報を生成する。ユーザ嗜好分析部２５３は、所定期間内に収集された携帯端末１のユーザの視聴履歴及び閲覧履歴の中に含まれる数が多いカテゴリーを、ユーザの嗜好性が高いカテゴリーであると判定する。ユーザ嗜好分析部２５３は、番組選択情報に基づいて選択された頻度が高い番組のカテゴリーを示す番組カテゴリーとコンテンツ選択情報に基づいて選択された頻度が高いコンテンツのカテゴリーとの間で共通する共通カテゴリーを、ユーザの嗜好性が高いカテゴリーであると判定してもよい。ユーザ嗜好分析部２５３は、視聴履歴及び閲覧履歴の中に含まれる数に基づいてカテゴリーを順位付けして、順位に基づいて定められる数値情報を、嗜好情報としてもよい。
【００５６】
図５及び図６に示す例の場合、ユーザは、野球に関するテレビ番組、及び金融に関するテレビ番組を視聴する頻度が高く、かつ、野球に関するＷｅｂコンテンツ、及び金融に関するＷｅｂコンテンツを閲覧する頻度が高い。そこで、ユーザ嗜好分析部２５３は、野球及び金融に対するユーザの嗜好性が比較的高いと判定する。また、ユーザは、クラシック音楽に関するテレビ番組を視聴しているにもかかわらず、クラシック音楽に関するＷｅｂコンテンツは閲覧していない。そこで、ユーザ嗜好分析部２５３は、クラシック音楽に対する嗜好性が、野球及び金融に対する嗜好性よりも低いと判定する。
【００５７】
ところで、ユーザが、番組を視聴している間に、番組に関連するＷｅｂコンテンツを閲覧している場合には、ユーザは、その番組及びＷｅｂコンテンツのカテゴリーに特に高い関心を持っていると考えられる。そこで、ユーザ嗜好分析部２５３は、ユーザが、所定のカテゴリーの番組を視聴した日時に、同じカテゴリーのＷｅｂコンテンツを閲覧している場合に、当該カテゴリーに対するユーザの嗜好性が他のカテゴリーに対する嗜好性よりも高いと判定してもよい。このようにすることで、さらに高い精度でユーザの嗜好性を把握することができる。
【００５８】
他方、ユーザが番組を視聴している間に、番組のカテゴリーと異なるカテゴリーのＷｅｂコンテンツを閲覧している場合には、ユーザは、その番組のカテゴリーに対する関心が比較的低いと考えられる。そこで、ユーザ嗜好分析部２５３は、ユーザが、所定のカテゴリーの番組を視聴した日時に、異なるカテゴリーのＷｅｂコンテンツを閲覧している場合に、視聴した番組のカテゴリーに対するユーザの嗜好性が、視聴中にＷｅｂコンテンツを閲覧していない番組のカテゴリーに対する嗜好性よりも低いと判定してもよい。
【００５９】
また、ユーザ嗜好分析部２５３は、放送局から番組表を取得し、ユーザが視聴した番組の全体の時間に対する、ユーザが番組を視聴した時間に基づいて、嗜好性を判定することもできる。同様に、ユーザ嗜好分析部２５３は、ユーザが閲覧したコンテンツの長さとユーザが当該コンテンツを閲覧した時間との関係に基づいて、嗜好性を判定することができる。具体的には、ユーザ嗜好分析部２５３は、番組の全体の時間に対してユーザの視聴時間が短い場合、その番組のカテゴリーに対するユーザの関心が比較的低いと判定する。同様に、ユーザ嗜好分析部２５３は、コンテンツの長さに対して閲覧時間が短い場合、そのコンテンツのカテゴリーに対するユーザの関心が比較的低いと判定する。
【００６０】
また、番組の視聴履歴が、図３（ａ）に示した標準操作画面を利用して番組を視聴したのか、図３（ｂ）に示したカスタム操作画面を利用して番組を視聴したのかを示す情報を含み、ユーザ嗜好分析部２５３は、番組が標準操作画面を利用して視聴されたかカスタム操作画面を利用して視聴されたかに基づいて、ユーザの嗜好性を判定してもよい。具体的には、ユーザ嗜好分析部２５３は、嗜好性を判定する際に、カスタム操作画面を利用して視聴された番組のカテゴリーの重みを、標準操作画面を利用して視聴された番組のカテゴリーの重みよりも大きくする。このようにすることで、ユーザが関心を持っていないにもかかわらず、標準操作画面を用いてたまたま視聴した番組のカテゴリーを、嗜好性が高いカテゴリーであると誤って判定することを防ぐことができる。
【００６１】
コンテンツ抽出部２５４は、ユーザ嗜好分析部２５３が生成した嗜好情報に基づいて、ユーザに提供するコンテンツを抽出する。コンテンツ抽出部２５４は、例えば、コンテンツ記憶部２２又は外部サーバから取得した複数の広告コンテンツのうち、ユーザが高い嗜好性を持っているカテゴリーに関連する広告コンテンツを抽出する。コンテンツ送信部２５５は、コンテンツ抽出部２５４が抽出したコンテンツを、通信部２１を介して携帯端末１に送信する。
【００６２】
［コンテンツ配信システムＳの動作シーケンス］
図７は、本実施形態に係るコンテンツ配信システムＳにおける動作シーケンスを示す図である。携帯端末１は、テレビを視聴する操作が行われると（Ｓ１）、操作に基づいて視聴された番組に関する情報を含む番組選択情報をコンテンツ配信サーバ２に送信する（Ｓ２）。コンテンツ配信サーバ２は、受信した番組選択情報に基づいて視聴履歴を作成して、履歴記憶部２３に格納する（Ｓ３）。また、携帯端末１は、コンテンツを閲覧する操作が行われると（Ｓ４）、操作に基づいて閲覧されたコンテンツに関する情報を含むコンテンツ選択情報をコンテンツ配信サーバ２に送信する（Ｓ５）。コンテンツ配信サーバ２は、受信したコンテンツ選択情報に基づいて閲覧履歴を作成して、履歴記憶部２３に格納する（Ｓ６）。
【００６３】
続いて、コンテンツ配信サーバ２は、履歴記憶部２３から視聴履歴及び閲覧履歴を読み出して、ユーザの特性を分析する（Ｓ７）。コンテンツ配信サーバ２は、分析した結果に基づいて、ユーザの嗜好性を示す嗜好情報を生成して（Ｓ８）、携帯端末１に嗜好情報を送信する（Ｓ９）。
携帯端末１は、嗜好情報を受信すると、嗜好情報に基づいて操作画面を生成して表示する（Ｓ１０）。
【００６４】
他方、コンテンツ配信サーバ２は、Ｓ８において生成した嗜好情報に基づいて、携帯端末１のユーザの嗜好に合った広告コンテンツを抽出して（Ｓ１１）、携帯端末１に送信する（Ｓ１２）。携帯端末１においては、ユーザがコンテンツ閲覧画面を表示すると、受信した広告コンテンツを表示する（Ｓ１３）。
【００６５】
［第１の実施形態における効果］
以上のとおり、第１の実施形態に係る携帯端末１、コンテンツ配信サーバ２及びコンテンツ配信システムＳによれば、携帯端末１のユーザの視聴履歴及び閲覧履歴に基づいて生成された操作画面を携帯端末１に表示させることができるので、ユーザは、多数の番組の中からユーザが関心を持っている番組を容易に選択することができるようになるという効果を奏する。また、本実施形態においては、視聴履歴及び閲覧履歴に基づいて分析したユーザの嗜好性に基づいて、ユーザに適した広告を携帯端末１に表示することもできるので、ユーザが、配信された広告に関心を持つ確率を高めることができるという効果も奏する。
【００６６】
＜第２の実施形態＞
図８は、第２の実施形態に係る携帯端末１の構成を示す図である。図８に示す携帯端末１は、画面編集部１５６をさらに有する点で、第１の実施形態に係る携帯端末１と異なり、他の点で同じである。具体的には、本実施形態に係る携帯端末１においては、ユーザが、テレビ操作画面を編集することができる。以下、第１の実施形態と異なる点について説明する。
【００６７】
図９は、本実施形態に係るカスタム操作画面を示す図である。図９（ａ）には、番組の概要が示されているチャネルを選択する選択領域と、選択されたチャネルの概要表示を削除する指示を入力するための「削除」ボタンとが表示されている。画面編集部１５６は、操作受付部１５１が、ユーザにより操作画面を編集する操作が受け付けられると、表示部１１に表示されるテレビ操作画面の編集を受け付ける。
【００６８】
図９（ａ）に示す例の場合、画面編集部１５６は、ユーザが、概要が表示されたチャネルを選択した後に「削除」ボタンを押すと、選択されたチャネルの概要を表示しない操作画面を生成するように画面生成部１５４に指示する。画面生成部１５４は、画面編集部１５６の指示に基づいて、操作画面を、図９（ｂ）に示す状態に変化させる。すなわち、画面生成部１５４は、クラシック音楽が放送されているチャネル３を、チャネル番号だけが表示される領域に移動させる。
【００６９】
画面生成部１５４が操作画面の編集を受け付けると、送信部１５２は、編集された内容を示す情報をコンテンツ配信サーバ２に送信する。上記の例の場合、送信部１５２は、クラシック音楽に関するチャネルの表示が削除されたことを示す情報をコンテンツ配信サーバ２に送信する。
【００７０】
コンテンツ配信サーバ２においては、編集された内容を示す情報を受信すると、受信した情報に基づいて、受信部１５３がユーザの特性を再度分析する。例えば、ユーザが、クラシック音楽が放送されているチャネルの表示を削除する場合、ユーザは、クラシック音楽に関心がないと考えられる。そこで、受信部１５３は、ユーザのクラシック音楽に対する嗜好性を低下させた嗜好情報を生成する。
【００７１】
このように、画面編集部１５６が、ユーザの操作画面の編集を受け付けることにより、ユーザの嗜好性の変化を検出することができるので、より高い精度で嗜好性を把握することができる。したがって、携帯端末１は、ユーザが関心を持つ番組を選択しやすい選択画面を表示するとともに、ユーザが関心を持つ広告を表示することが可能になる。
【００７２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００７３】
例えば、上記の実施形態においては、コンテンツ配信サーバ２がユーザの特性を分析して嗜好情報を生成する例について説明したが、携帯端末１が、視聴履歴及び閲覧履歴に基づいてユーザの特性を分析して嗜好情報を生成してもよい。また、コンテンツ配信サーバ２は、携帯端末１だけでなく、ユーザが保持する複数の端末装置から視聴履歴及び閲覧履歴も合わせて取得するようにしてもよい。具体的には、複数の端末装置がログイン等によってユーザ識別情報として共通の情報を有し、複数の端末装置それぞれが、ネットワークを介して又は携帯端末１を介して、コンテンツ配信サーバ２へ視聴履歴又は閲覧履歴を送信する。複数の端末装置が複数の端末装置とは、例えば腕時計型やメガネ型のウェラブル端末や、タブレット端末、などである。
【００７４】
コンテンツ配信サーバ２は、携帯端末１が生成した嗜好情報を受信し、受信した嗜好情報に基づいて、配信する広告などのコンテンツを選択することができる。このようにすることで、携帯端末１は、視聴履歴や閲覧履歴をコンテンツ配信サーバ２に送信することなく、迅速に、ユーザに適した操作画面を生成することができる。
【符号の説明】
【００７５】
１  携帯端末
２  コンテンツ配信サーバ
３  放送番組サーバ
４  テレビ受信機
５  基地局
６  ネットワーク
１１  表示部
１２  記憶部
１３  Ｗｉ−Ｆｉ通信部
１４  モバイル通信部
１５  制御部
２１  通信部
２２  コンテンツ記憶部
２３  履歴記憶部
２４  記憶部
２５  制御部
１５１  操作受付部
１５２  送信部
１５３  受信部
１５４  画面生成部
１５５  表示制御部
１５６  画面編集部
２５１  選択情報取得部
２５２  履歴情報取得部
２５３  ユーザ嗜好分析部
２５４  コンテンツ抽出部
２５５  コンテンツ送信部
【図１】
2015154440.tif 000003
【図２】
2015154440.tif 000004
【図３】
2015154440.tif 000005
【図４】
2015154440.tif 000006
【図５】
2015154440.tif 000007
【図６】
2015154440.tif 000008
【図７】
2015154440.tif 000009
【図８】
2015154440.tif 000010
【図９】
2015154440.tif 000011